(57)【要約】      （修正有）【課題】カテーテルから後退した針が筒状のレセプタクルの内部の保護位置に至るカテーテル装置を提供する。【解決手段】弁部材７が配置されているカテーテルハブと、針ハブ１１内に固定されると共に、準備完了位置においてカテーテルハブ内の弁部材を貫通する針９と、筒状のレセプタクル８であって、針ハブが該筒状のレセプタクル内で変位可能にガイドされるとともにばね１３によって該レセプタクルに対して近位方向に付勢される、レセプタクルとを備え、針ハブは、針の外周とカテーテル４又はカテーテルハブとの間の摩擦力によってばねの力に抗してレセプタクル内の準備完了位置に解放可能に保持され、この摩擦力は、ばねの力が優勢となるように、針がカテーテルハブを通って後退すると低減する、カテーテル装置。【選択図】図１
2015180260.tif 000002
【特許請求の範囲】
【請求項１】
カテーテル装置であって、
弁部材（７）が配置されているカテーテルハブ（２）と、
針ハブ（１１）内に固定されている針（９）であって、準備完了位置において前記カテーテルハブ内の前記弁部材（７）を貫通する、針（９）と、
筒状のレセプタクル（８）であって、前記針ハブ（１１）が前記筒状のレセプタクル（８）内で変位可能にガイドされ且つばね（１３）によって前記レセプタクル（８）に対して近位方向に付勢される、筒状のレセプタクル（８）と、
を備え、
前記針ハブ（１１）は、前記ばね（１３）の力に抗して前記レセプタクル（８）内の前記準備完了位置に解放可能に保持される、カテーテル装置。
【請求項２】
前記針ハブ（１１）は、手動式ロック部材（１２）によって、前記ばね（１３）の力に抗して前記レセプタクル（８）内に保持される、請求項１に記載の装置。
【請求項３】
前記針ハブ（１１）は、針の外周とカテーテル（４）又はカテーテルハブ（２）との間の摩擦力によって、前記レセプタクル（８）内の準備完了位置に保持され、前記摩擦力は、前記ばね（１３）の力が優勢となるように、前記針（９）が前記カテーテルハブ（２）を通って後退すると低減する、請求項１に記載の装置。
【請求項４】
所定の摩擦力を生じさせ且つ所定の摩擦力を前記針の外周に加える部材が、前記カテーテルハブ内に設けられる、請求項３に記載の装置。
【請求項５】
前記針の外周の遠位の長手方向部分（９ｂ）には摩擦低減コーティング又は表面処理が施されており、前記摩擦低減コーティング又は表面処理によって、前記針の前記遠位の長手方向部分（９ｂ）は、前記針の残りの長手方向部分（９ｃ）よりも低い摩擦力を前記摩擦部材及び／又は前記弁部材（７）に対して有する、請求項３又は４に記載の装置。
【請求項６】
前記ばね（１３）は、前記レセプタクル（８）を前記カテーテルハブ（２）に対して付勢し、前記レセプタクル（８）は、前記針（９）が前記カテーテルハブ（２）から部分的に後退しているときは前記針シャフト（９ｃ）を覆う、請求項３に記載の装置。
【発明の詳細な説明】
【技術分野】
【０００１】
本発明は、カテーテルから後退した針が筒状のレセプタクルの内部の保護位置に至るカテーテル装置に関する。
【背景技術】
【０００２】
特許文献１がこの種のカテーテル装置を記載しており、この場合では、準備完了位置において、針用の筒状のレセプタクルが遠位端の突起を介してカテーテルハブと係合している。針ハブがレセプタクルの内部で変位可能であり、この針ハブには、準備完了位置ではばねが作用しており、ロック部材によってレセプタクルの遠位位置に保持されている。カテーテルが患者に挿入された後、レセプタクルが針と一緒にカテーテルハブから引き抜かれ、その場合、針ハブのロックが手動式ロック部材によって解除され、そのため、針ハブがばねによってレセプタクルの近位位置に移動し、この位置において針の先端がレセプタクルの内部の保護位置に位置付けられ、その遠位側には針が通る貫通穴のみが設けられている。
【０００３】
特許文献２から、カテーテルハブ内に弁部材を設けることが知られており、準備完了位置において針がこの弁部材を貫通し、針がカテーテルハブから後退した後でこの弁部材がカテーテルハブを自動的に閉じるため、カテーテルハブから漏血する可能性がない。カテーテルハブ内に変位可能に取り付けられた弁作動部材によって、弁部材は、シリンジ又は静脈ラインがカテーテルハブ内に挿入されることで弁作動部材が開位置に変位すると再び開くことができる。
【先行技術文献】
【特許文献】
【０００４】
【特許文献１】欧州特許出願公開第９２２４６６号
【特許文献２】欧州特許出願公開第１２４０９１６号
【発明の概要】
【０００５】
本発明によれば、レセプタクル内に後退することができる針がカテーテル装置に設けられ、このカテーテル装置のカテーテルハブ内に弁部材が配置され、この弁部材は、針が取り外された後でカテーテルハブを閉じ、シリンジ又は静脈ラインが挿入されると開位置に至ることができる。
【０００６】
本発明の更なる目的、利点、特徴点及び可能な用途は、図面の参照とともに実施形態の以下の記載から明らかとなる。これにより、記載されかつ／又は概略的に図示される特徴点は全て、それら自体であれ、任意の有意な組合せにおいてであれ、また、特許請求の範囲内のそれらの概要及び特許請求の範囲の再度の参照（back-referencing）とは関係なく、本発明の主題を形成する。
【０００７】
本発明の例示的な実施形態を、図面を参照しながら以下でより詳細に説明する。
【図面の簡単な説明】
【０００８】
【図１】準備完了位置において針が内部に挿入されているカテーテル装置の縦断面図である。
【図２】針が後退して取り外されているカテーテル装置を示す図である。
【図３】カテーテルハブ内に挿入されているシリンジを示す図である。
【図４】摺動性を維持する針部分が準備完了位置にある一実施形態を示す図である。
【図５】針の後退中の、図４の実施形態を示す図である。
【図６】保護位置にある針を示す図である。
【発明を実施するための形態】
【０００９】
図１は、図示の実施形態において２つの部分で構成されているカテーテルハブ２を有するカテーテル挿入装置１を示す。カテーテルハブの遠位ハブ部材３が保持部分３ａを有しており、この保持部分３ａ内にカテーテル４が漏斗状スリーブ３ｂによって圧入される。ハブ部材３の近位端は遠位端に比して拡径を有しており、ハブ部材５に対する接合部分を形成しており、このハブ部材５の遠位端がハブ部材３の近位端と係合し、このハブ部材５はその近位端にルアーねじ６が設けられている。２つのハブ部材３及び５間には、逆流防止弁が弁体７の形態で挿入されており、弁体７はその位置に２つのハブ部材３及び５によって固定されている。カテーテルハブ２は一体品として構成することもでき、その場合、弁体７が内部に圧入されることができる。
【００１０】
図１による準備完了位置では、ノーズ状の軸方向突出ボス８ａを有するレセプタクル８がカテーテルハブ２に挿入されており、このボス８ａにおいて中空針９が針ハブ１１に固定されている。図示の実施形態では、ボス８ａは別個の部片であり、このボス８ａによって組立てが容易となる。ボス８ａをレセプタクル８に成形すること及び近位壁８ｃをキャップ又は別個の部片として構成することも可能であり、これによって組立てが容易となる。針９は、針の先端９ａが露出するように弁体７及びカテーテル４を貫通している。ボス８ａ及び弁体７間には、弁作動部材１０が近位ハブ部材５内に変位可能に配置されており、この弁作動部材１０は弁体７を開くように働く円錐台状の当接部分１０ａを有する。近位側には、押し部分１０ｂが当接部分１０ａに取り付けられている。
【００１１】
図２に表されている分離位置が示すように、中空針９がカテーテルハブ２から後退すると、弁体７はその弾性により中空針９のための貫通穴を閉じ、そのため、カテーテル４から漏血する可能性がない。シリコン弁体に、例えば真ん中から始まって短い部分にわたって半径方向に延びる３つのスリットを設け、中空針により広げることができる弾性ラグ７ｂをそれらスリット間に形成する。弁の他の実施形態も可能であり、その場合、異なる数のスリットも設けることもできる。
【００１２】
図３は、シリンジ１４であって、カテーテルハブ２内に挿入されているとともに、弁作動部材１０が図３の開位置に変位するよう、レセプタクル８のボス８ａよりも長くなるように構成された遠位突出ルアーテーパー１４ａを有している、シリンジ１４を示す。
【００１３】
針ハブ１１は筒状のレセプタクル８内で変位可能にガイドされ、針ハブ１１を近位方向に付勢するばね１３の力に抗してロック部材１２によって図１の準備完了位置に保持される。ロック部材１２がレセプタクル８に対して横断方向の圧力によって解除された後、針ハブ１１はばね１３によってレセプタクル内で近位方向に変位する。
【００１４】
図４及び図５は、接続を解除するロック部材１２が針ハブ１１とレセプタクル８との間に設けられていない実施形態を示す。ばね付勢された針ハブ１１が、弁部材７と針の外周との間の摩擦力によってのみ、また、場合によってはカテーテルの先端４ａと針９との間の摩擦力によって図４に示す準備完了位置に保持され、この摩擦力は、ばね１３の力よりも大きいものであるように設計されている。このため、針の外周の長手方向部分９ｃに、摩擦を高めるコーティング又は表面処理を施して、弁部材７と針の外周との間に対応する摩擦力を生じさせることもできる。
【００１５】
これに対して付加的に又は代替的に、弁部材７は、例えば針の外周に当接しているラグ７ｂを長くすること及び弁部材の対応する表面処理によって、針の外周と弁部材７との間の摩擦力がレセプタクル８内の針ハブ１１に近位方向に作用するばね１３の力よりも大きい所要の強度を有するように設計することができる。
【００１６】
図４及び図５の針９の遠位端部分９ｂには、針の外周と弁部材７との間及びカテーテルの先端４ａと針９との間の摩擦を低減させるようにコーティング又は表面処理が施されており、そのため、針９がカテーテルハブ５から後退すると（図５）、針９の非コーティングエリア９ｃと弁部材７との間及びコーティングエリア９ｂと弁部材７との間に摩擦低減が生じ、この摩擦低減によってばね１３が解放される。針９のうち滑性コーティング又は対応する表面処理が施されている部分９ｂが弁部材７に達するとすぐに、ばね１３の力が針の外周のこの部分９ｂと弁部材７との間の摩擦力よりも大きくなり、そのため、ばね１３に対する保持効果が相殺され、ばねが解放される。
【００１７】
針はまた、その全長にわたって均一な表面状況を有することができ、その場合、針がカテーテル４の先が細くなった先端４ａを通って後退して針９とカテーテルの先端４ａとの間に更なる摩擦力がもはや存在しなくなった後、ばね１３が針ハブを変位させるだけで針ハブがレセプタクル８に戻る。通常のカテーテル４の遠位端部分４ａは、針の外径よりも若干小さい直径を有する。カテーテル４の残りのエリアには、針の外径よりも大きい内径が与えられる。
【００１８】
更なる実施形態によれば、摩擦部材（図示せず）をカテーテルハブ内に好ましくは遠位方向における弁部材７の前に配置して、摩擦部材が針の外周に作用している限り針の外周に所定の摩擦力をかけることができる。針９が摩擦部材によってもはや作用されなくなるほど後方に後退すると、ばね１３のための保持力をもたらす摩擦力が低減し、そのため、ばね１３が針ハブ１１をレセプタクル８の近位の保護位置に移動させる。
【００１９】
そのような摩擦部材は、低摩擦部分９ｂの実施形態に加えて又は針の摩擦低減部分９ｂの代わりに、カテーテルハブ２内に設けることができる。
【００２０】
そのような摩擦部材は例えば、半径方向に作用するばねが作用するとともに針９の外周に押し当たる摩擦部材とすることができる。摩擦部材（単数又は複数）を弁部材７のラグ７ｂに、好ましくはその遠位側に取り付けることも可能であり、そのため、シリンジ１４が挿入されたときに（図３を参照のこと）、弁部材７が弁作動部材１０によって開くと、針の外周に当接している摩擦部材がカテーテルハブの通路断面から外れる。
【００２１】
弁作動部材１０がカテーテルハブ２内に設けられておらず、代わりに弁部材７が例えばシリンジ１４によって加えられる正圧又は負圧によって開位置に移動する実施形態も可能である。
【００２２】
さらに、レセプタクル８を、該レセプタクル８の外部のその準備完了位置に摩擦力によってのみ保持される針ハブ１１に関連して異なる様式で構成することができる。図１では、８ｂは、針ハブ１１がばね１３によって近位の保護位置へ迅速に移動する際に空気が逃げるベント開口を指し示している。参照符号８ｃはキャップを指し示している。例として、針ハブ１１にも摩擦部分を設けることができ、この摩擦部分によって、図４の準備完了位置において、保持力がカテーテルハブにおける摩擦力に関連して維持され、カテーテルハブにおける摩擦力がなくなるとすぐに、ばね１３の力がレセプタクル８内の針ハブ１１の摩擦力を超え、針ハブを保護位置に移動させる。
【００２３】
図５には、ユーザーがカテーテルハブ２を片手で保持し、また、レセプタクル８をもう片方の手でカテーテルハブ２から或る距離のところに保持している場合にのみ生じることができる、カテーテルハブ２とレセプタクル８との間の距離が表されている。レセプタクル８がカテーテルハブ２から或る距離のところに保持されていなければ、ばね１３がレセプタクル８をカテーテルハブの近位端に対して付勢する。このことは、針がカテーテルハブ２から部分的にしか後退していない間は針部分９ｃが覆われるという、ユーザーにとっての利点を有し、例えば、カテーテルハブ２は粘着テープにより患者に固定される。この後、レセプタクル８は、カテーテルハブ２における摩擦力がなくなることによりばね１３が解放されて針をレセプタクル８内に後退させるまで、図５に表されている位置を超えて後退することができる。
【図１】
2015180260.tif 000003
【図２】
2015180260.tif 000004
【図３】
2015180260.tif 000005
【図４】
2015180260.tif 000006
【図５】
2015180260.tif 000007
【図６】
2015180260.tif 000008
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
カテーテル装置であって、
弁部材（７）が配置されているカテーテルハブ（２）と、
針ハブ（１１）内に固定されている針（９）であって、準備完了位置において前記カテーテルハブ内の前記弁部材（７）を貫通する、針（９）と、
筒状のレセプタクル（８）であって、前記針ハブ（１１）が前記筒状のレセプタクル（８）内で変位可能にガイドされ且つばね（１３）によって前記レセプタクル（８）に対して近位方向に付勢される、筒状のレセプタクル（８）と、
を備え、
前記針ハブ（１１）は、前記ばね（１３）の力に抗して前記レセプタクル（８）内の前記準備完了位置に解放可能に保持される、カテーテル装置。
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
カテーテル（４）であって、弁部材（７）が配置されているカテーテルハブ（２）に取り付けられたカテーテル（４）と、
針（９）であって、針ハブ（１１）に固定され、前記弁部材（７）を貫通し、準備完了位置で前記カテーテル（４）のカテーテル先端（４ａ）の先端側に向けて伸びる針先端（９ａ）を有する、針（９）と、
筒状のレセプタクル（８）であって、前記針ハブ（１１）が前記筒状のレセプタクル（８）の内部で移動可能にガイドされ且つばね（１３）によって近位方向に付勢された、筒状のレセプタクル（８）を備えており、
前記針ハブ（１１）は、手動操作されるロック部材（１２）によって、前記ばね（１３）の力に抗して、前記筒状のレセプタクル（８）内で、前記準備完了位置に解放可能に保持されており、
前記弁部材（７）は、前記準備完了位置で、前記針（９）によって広げられて弾性ラグ（７ｂ）を形成する少なくとも３つのスリットを有する、カテーテル装置。
【請求項２】
前記ロック部材（１２）は、前記ばね（１３）を解放して前記ばね（１３）を伸ばすことができるように、前記筒状のレセプタクル（８）の長軸に直交する方向の圧力によって解放可能である、請求項１のカテーテル装置。
【請求項３】
前記筒状のレセプタクル（８）とは別の部材として形成されて前記カテーテルハブ（２）内に突出する突出ボス部（８ａ）を有する、請求項１のカテーテル装置。
【請求項４】
前記突出ボス部（８ａ）は前記ロック部材（１２）とは別の部材である、請求項３のカテーテル装置。
【請求項５】
前記カテーテルハブ（２）の内側に移動可能に配置された弁作動部材（１０）を有する、請求項１のカテーテル装置。
【請求項６】
前記弁作動部材（１０）は、前記弁部材（７）に当接して前記弁部材（７）を開く円錐台状の当接部分（１０ａ）を有する、請求項５のカテーテル装置。
【請求項７】
前記カテーテルハブ（２）は、近位ハブ部材（５）に取り付けられた遠位ハブ部材（３）を有する、請求項１のカテーテル装置。
【請求項８】
前記ロック部材（１２）は、前記筒状のレセプタクル（８）の末端に配置されている、請求項２のカテーテル装置。
【請求項９】
カテーテルハブ（２）であって、前記カテーテルハブ（２）に取り付けられたカテーテル（４）を有し、弾性ラグ（７ｂ）を形成する複数のスリットを有する弁部材（７）が配置される内部を有する、カテーテルハブ（２）と、
針（９）であって、針ハブ（１１）に固定されており、前記カテーテルハブ内で前記弁部材（７）を貫通し、準備完了位置において前記カテーテル（４）のカテーテル先端（４ａ）から突出する、針（９）と、
筒状のレセプタクル（８）であって、内部を有し、前記内部で前記針ハブ（１１）が移動可能に案内されるとともにばね（１３）によって近位方向に付勢されている、筒状のレセプタクル（８）を有し、
前記ニードルハブ（１１）は、前記筒状のレセプタクル（８）の末端に配置された解放可能なロック部材（１２）によって、前記ばね（１３）の力に抗して前記筒状のレセプタクル（８）内で前記準備完了位置に解放可能に保持されている、カテーテル装置。
【請求項１０】
前記弁部材（７）は、前記弾性ラグ（７ｂ）を形成する少なくとも３つのスリットを有する弁体である、請求項９のカテーテル装置。
【請求項１１】
前記解放可能なロック部材（１２）は、前記筒状のレセプタクル（８）の長軸に直交する方向の圧力によって解放されるようにしてある、請求項９のカテーテル装置。
【請求項１２】
前記カテーテルハブ（２）内で軸方向突出ボス（８）の末端に移動可能に配置された弁作動部材（１０）を有する、請求項９のカテーテル装置。
【請求項１３】
前記カテーテルハブ（２）が、近位ハブ部材（５）に取り付けられた遠位ハブ部材（３）を有する、請求項９のカテーテル装置。
【請求項１４】
前記弁作動部材（１０）が、前記弁部材（７）を開くための円錐台状当接部分（１０ａ）を有する、請求項１２のカテーテル装置。
【請求項１５】
前記カテーテルハブ（２）の中に突出する軸方向の突出ボス部（８ａ）を有する、請求項９のカテーテル装置。
【請求項１６】
前記突出ボス部（８ａ）が、前記筒状のレセプタクル（８）に取り付けられた別の部材である、請求項１５のカテーテル装置。
【請求項１７】
軸方向の突出ボス部（８ａ）が、前記筒状のレセプタクル（８）に一体に形成されている、請求項９のカテーテル装置。
【外国語明細書】
2015180260.tif 000009
2015180260.tif 000010
2015180260.tif 000011
2015180260.tif 000012
2015180260.tif 000013
2015180260.tif 000014
2015180260.tif 000015
2015180260.tif 000016
2015180260.tif 000017
2015180260.tif 000018
2015180260.tif 000019